(57)【要約】【課題】ユーザの移動状況を精度よく推定すること。【解決手段】本願に係る推定装置は、第１取得部と、第２取得部と、推定部とを備える。第１取得部は、移動手段が対応付けられたアプリに関連して取得される位置情報である第１位置情報を取得する。第２取得部は、所定のユーザの位置を示す位置情報である第２位置情報を取得する。推定部は、第１取得部によって取得された第１位置情報に基づく特徴量と、第２取得部によって取得された第２位置情報に基づく特徴量とに基づいて、所定のユーザの移動状況を推定する。【選択図】図１
2019128155.tif 000002
【特許請求の範囲】
【請求項１】
移動手段が対応付けられたアプリに関連して取得される位置情報である第１位置情報を取得する第１取得部と、
所定のユーザの位置を示す位置情報である第２位置情報を取得する第２取得部と、
前記第１取得部によって取得された第１位置情報に基づく特徴量と、前記第２取得部によって取得された第２位置情報に基づく特徴量とに基づいて、前記所定のユーザの移動状況を推定する推定部と、
を備えたことを特徴とする推定装置。
【請求項２】
前記第１取得部によって取得された第１位置情報に基づいて、当該第１位置情報に対応するユーザの移動状況を推定するためのモデルを生成する生成部、
をさらに備え、
前記推定部は、
前記生成部によって生成されたモデルを利用して、前記第２取得部によって取得された第２位置情報に基づいて前記所定のユーザの移動状況を推定する、
ことを特徴とする請求項１に記載の推定装置。
【請求項３】
前記第１取得部は、
歩行又は自転車による移動手段が対応付けられたナビアプリによって取得される第１位置情報を取得し、
前記推定部は、
前記第１取得部によって取得された第１位置情報に基づいて、前記所定のユーザの移動状況として、当該所定のユーザが歩行又は自転車による移動を行っていることを推定する、
ことを特徴とする請求項１又は２に記載の推定装置。
【請求項４】
前記第１取得部は、
自動車による移動手段が対応付けられたカーナビアプリによって取得される第１位置情報を取得し、
前記推定部は、
前記第１取得部によって取得された第１位置情報に基づいて、前記所定のユーザの移動状況として、当該所定のユーザが自動車による移動を行っていることを推定する、
ことを特徴とする請求項１〜３のいずれか一つに記載の推定装置。
【請求項５】
前記第１取得部は、
自動車の配車を要求するアプリである配車アプリを利用したユーザの位置情報であって、当該配車アプリを介して配車された自動車で当該ユーザが移動した区間において取得された位置情報を、前記第１位置情報として取得し、
前記推定部は、
前記第１取得部によって取得された第１位置情報に基づいて、前記所定のユーザの移動状況として、当該所定のユーザが自動車による移動を行っていることを推定する、
ことを特徴とする請求項１〜４のいずれか一つに記載の推定装置。
【請求項６】
前記第１取得部は、
路線検索アプリを利用したユーザの位置情報であって、当該路線検索アプリによって示された乗車時間において取得された位置情報を、当該路線検索アプリによって示された移動手段とともに前記第１位置情報として取得し、
前記推定部は、
前記第１取得部によって取得された第１位置情報に基づいて、前記所定のユーザの移動状況として、当該所定のユーザが前記路線検索アプリによって示された移動手段による移動を行っていることを推定する、
ことを特徴とする請求項１〜５のいずれか一つに記載の推定装置。
【請求項７】
前記第１取得部は、
前記位置情報に対応する地図情報を取得し、
前記推定部は、
前記第１取得部によって取得された地図情報に基づき抽出される前記第１位置情報が示す経路もしくは地形情報と、当該地図情報に基づき抽出される前記第２位置情報が示す経路もしくは地形情報とに基づいて、前記所定のユーザの移動状況を推定する、
ことを特徴とする請求項１〜６のいずれか一つに記載の推定装置。
【請求項８】
前記第１取得部は、
前記第１位置情報とともに、当該第１位置情報に対応するセンサ情報を取得し、
前記第２取得部は、
前記第２位置情報とともに、当該第２位置情報に対応するセンサ情報を取得し、
前記推定部は、
前記第１位置情報に対応するセンサ情報と、前記第２位置情報に対応するセンサ情報とに基づいて、前記所定のユーザの移動状況を推定する、
ことを特徴とする請求項１〜７のいずれか一つに記載の推定装置。
【請求項９】
前記第１取得部は、
前記第１位置情報とともに、当該第１位置情報に対応する音声情報もしくは加速度情報を取得し、
前記第２取得部は、
前記第２位置情報とともに、当該第２位置情報に対応する音声情報もしくは加速度情報を取得し、
前記推定部は、
前記第１位置情報に対応する音声情報もしくは加速度情報と、前記第２位置情報に対応する音声情報もしくは加速度情報とに基づいて、前記所定のユーザの移動状況を推定する、
ことを特徴とする請求項８に記載の推定装置。
【請求項１０】
コンピュータが実行する推定方法であって、
移動手段が対応付けられたアプリに関連して取得される位置情報である第１位置情報を取得する第１取得工程と、
所定のユーザの位置を示す位置情報である第２位置情報を取得する第２取得工程と、
前記第１取得工程によって取得された第１位置情報に基づく特徴量と、前記第２取得工程によって取得された第２位置情報に基づく特徴量とに基づいて、前記所定のユーザの移動状況を推定する推定工程と、
を含んだことを特徴とする推定方法。
【請求項１１】
移動手段が対応付けられたアプリに関連して取得される位置情報である第１位置情報を取得する第１取得手順と、
所定のユーザの位置を示す位置情報である第２位置情報を取得する第２取得手順と、
前記第１取得手順によって取得された第１位置情報に基づく特徴量と、前記第２取得手順によって取得された第２位置情報に基づく特徴量とに基づいて、前記所定のユーザの移動状況を推定する推定手順と、
をコンピュータに実行させることを特徴とする推定プログラム。
【発明の詳細な説明】
【技術分野】
【０００１】
本発明は、推定装置、推定方法及び推定プログラムに関する。
【背景技術】
【０００２】
従来、ユーザが所有する端末装置から位置情報を取得し、取得した位置情報に基づいて各種情報処理を行う技術が提案されている。
【０００３】
位置情報を利用した技術として、例えば、複数のナビアプリを統合するアプリを用いることで、ユーザが指定した移動手段に応じた適切なナビアプリを選択してナビゲーションを行う技術が知られている。かかる技術では、現在位置、移動速度、加速度、振動及び音等に基づいて、ユーザの移動状況が自動車移動であるか、列車移動であるか、徒歩移動であるかを特定する。
【先行技術文献】
【特許文献】
【０００４】
【特許文献１】特許第６１２３５７３号公報
【発明の概要】
【発明が解決しようとする課題】
【０００５】
しかしながら、上記の従来技術では、ユーザの移動状況を精度よく推定することができるとは限らない。例えば、ユーザが自動車で移動する場合、信号で停車したり渋滞が発生したりといった様々な状況が生じるため、ユーザの現在位置や移動速度等の変数を取得したとしても、移動状況を精度よく推定できるとは限らない。
【０００６】
本願は、上記に鑑みてなされたものであって、ユーザの移動状況を精度よく推定することができる推定装置、推定方法及び推定プログラムを提供することを目的とする。
【課題を解決するための手段】
【０００７】
本願に係る推定装置は、移動手段が対応付けられたアプリに関連して取得される位置情報である第１位置情報を取得する第１取得部と、所定のユーザの位置を示す位置情報である第２位置情報を取得する第２取得部と、前記第１取得部によって取得された第１位置情報に基づく特徴量と、前記第２取得部によって取得された第２位置情報に基づく特徴量とに基づいて、前記所定のユーザの移動状況を推定する推定部と、を備えたことを特徴とする。
【発明の効果】
【０００８】
実施形態の一態様によれば、ユーザの移動状況を精度よく推定することができるという効果を奏する。
【図面の簡単な説明】
【０００９】
【図１】図１は、実施形態に係る推定処理の一例を示す図である。
【図２】図２は、実施形態に係る推定システムの構成例を示す図である。
【図３】図３は、実施形態に係るユーザ端末の構成例を示す図である。
【図４】図４は、実施形態に係る推定装置の構成例を示す図である。
【図５】図５は、実施形態に係る第１位置情報記憶部の一例を示す図である。
【図６】図６は、実施形態に係るモデル記憶部の一例を示す図である。
【図７】図７は、実施形態に係る第２位置情報記憶部の一例を示す図である。
【図８】図８は、実施形態に係る処理手順を示すフローチャート（１）である。
【図９】図９は、実施形態に係る処理手順を示すフローチャート（２）である。
【図１０】図１０は、推定装置の機能を実現するコンピュータの一例を示すハードウェア構成図である。
【発明を実施するための形態】
【００１０】
以下に、本願に係る推定装置、推定方法及び推定プログラムを実施するための形態（以下、「実施形態」と呼ぶ）について図面を参照しつつ詳細に説明する。なお、この実施形態により本願に係る推定装置、推定方法及び推定プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１１】
〔１．実施形態に係る推定処理の一例〕
まず、図１を用いて、実施形態に係る推定処理の一例について説明する。図１は、実施形態に係る推定処理の一例を示す図である。具体的には、図１では、推定装置１００が、移動手段が対応付けられたアプリケーション（以下、単に「アプリ」と表記する）に関連して取得される位置情報である第１位置情報と、所定のユーザの位置を示す位置情報である第２位置情報とを取得し、第１位置情報と第２位置情報の各々の特徴に基づいて、所定のユーザの移動状況を推定する推定処理を行う例を示す。
【００１２】
図１に示す推定装置１００は、実施形態に係る推定処理を実行する情報処理装置であり、例えば、ユーザが利用する端末装置等と相互に通信を行うサーバ装置である。実施形態に係る推定装置１００は、各ユーザを識別する識別情報と各ユーザの位置を示す情報とを対応付けて取得し、取得した情報を位置情報として蓄積する。例えば、推定装置１００は、ユーザが利用する端末装置にインストールされる複数のアプリの管理サーバであり、各々のアプリの利用に伴い、ユーザから定期的に位置情報を取得する。なお、推定装置１００は、蓄積した位置情報や、推定したユーザの移動状況等を他の事業者に提供するサービスを行ってもよい。実施形態では、推定装置１００は、例えば、ユーザの位置情報を利用して交通案内を行うナビサービスや地図提供サービス、電車の乗り換え案内を行う乗り換え案内サービス、タクシーの配車を行うタクシー配車サービス、位置情報を利用したゲームを提供するゲームサービス等に係るアプリを提供する。
【００１３】
図１に示すユーザ端末１０１及び１０２は、スマートフォン等の情報処理端末である。実施形態では、ユーザ端末１０１はユーザＵ０１によって利用され、ユーザ端末１０２はユーザＵ０２によって利用される。以下では、ユーザ端末１０１及び１０２等を区別する必要のないときは、「ユーザ端末１０」と総称する。また、ユーザＵ０１及びＵ０２等を区別する必要のないときは、「ユーザ」と総称する。なお、以下では、ユーザ端末１０をユーザと読み替える場合がある。例えば、「ユーザが位置情報を送信する」とは、実際には、「ユーザが利用するユーザ端末１０が位置情報を送信する」ことを意味する場合がある。
【００１４】
ユーザ端末１０は、例えばＧＰＳ（Global  Positioning  System）等を利用して、自装置が所在する位置（例えば経度や緯度の数値等）を検知し、検知した位置を示す情報である位置情報を取得する。なお、位置情報は、位置を示す情報のみならず、その位置が検知された時間を含んでもよい。そして、ユーザ端末１０は、例えば利用するアプリの制御や推定装置１００の要求に従い、検知した位置情報を推定装置１００に送信する。具体的には、ユーザ端末１０は、推定装置１００がユーザに提供したナビアプリや地図サービスの制御（機能）に従い、定期的かつ継続的に位置情報を推定装置１００に送信する。ユーザ端末１０から送信される位置情報は、推定装置１００が有する記憶部に蓄積され、種々の情報処理に利用される。
【００１５】
ここで、推定装置１００の管理者等のサービスを提供する提供者は、ユーザの移動状況に合わせたサービスを展開することを所望する場合がある。例えば、サービス提供者は、自動車で移動しているユーザには自動車移動に適するサービス（例えば、自動車関連の広告の配信や、移動速度に合わせてユーザが訪れると推測される店舗の広告の配信等）を提供することを所望する。また、サービス提供者は、ユーザの移動状況に合わせて適切なアプリをユーザ端末１０上で起動させたり、プッシュ通知を行ったりすることを所望する。このように、サービス提供者には、ユーザの移動状況を的確に把握したいというニーズが存在する。
【００１６】
なお、移動状況（例えば、自動車移動や列車移動）に応じた定義情報（モデル）を準備し、当該定義情報とユーザの状況（コンテキスト）とを比較することで、ユーザの移動状況を推定することも可能である。しかしながら、あらゆる移動手段に対して定義情報を準備することは困難であり、また、定義情報（例えば、所定の時速を超える移動を自動車移動であると推定すること）が正確に当該移動手段を示すとは限らないことから、ユーザの移動状況を推定する精度が高いとはいえない。
【００１７】
そこで、推定装置１００は、予め移動手段がアプリに関連して取得される位置情報である第１位置情報を利用することで、所定のユーザの移動手段を推定する。例えば、推定装置１００は、ユーザ端末１０においてカーナビアプリが起動され、カーナビアプリがユーザから利用されている場合、当該ユーザの移動手段が「自動車」であるとみなす。そして、推定装置１００は、取得された第１位置情報に基づいて、移動手段が「自動車」である場合のユーザの行動の特徴を抽出する。具体的には、推定装置１００は、移動手段が「自動車」である場合のユーザの位置情報の推移の特徴量に基づき、ユーザの移動手段が「自動車」であるか否かを判別するためのモデルを生成する。その後、推定装置１００は、移動手段が不明である所定のユーザの位置情報（区別のため、「第２位置情報」と称する）が取得された場合に、生成したモデルに第２位置情報を入力し、出力された指標値（スコア）等に基づいて、当該ユーザの移動手段を推定する。言い換えれば、推定装置１００は、極めて高い精度で移動手段が推測されるアプリ（上記したカーナビアプリ等）を移動手段が対応付けられているアプリとみなし、当該アプリから取得された第１位置情報を正解データとしてモデルの学習（生成）を行う。これにより、推定装置１００は、ユーザの移動状況を精度よく推定することができる。以下、実施形態に係る推定処理について、図１を用いて流れに沿って説明する。
【００１８】
図１に示す例において、ユーザＵ０１は、自動車２０に乗車中であり、ユーザ端末１０１にインストールされたカーナビアプリを使用中である。このとき、ユーザ端末１０１は、定期的かつ継続的に（例えば数十秒や数分ごとのタイミング）ユーザＵ０１の位置を検知し、ユーザＵ０１の位置を示す情報を取得する。そして、ユーザ端末１０１は、取得した位置情報を推定装置１００に送信する。
【００１９】
推定装置１００は、ユーザ端末１０１から送信される位置情報を第１位置情報として取得する（ステップＳ０１）。具体的には、推定装置１００は、カーナビアプリにおいて対応付けられている移動手段である「自動車」と、ユーザＵ０１の位置情報とが対応付けられた情報を第１位置情報として取得する。なお、推定装置１００は、アプリと移動手段との対応付けに関して、予め定義された定義情報を有していてもよい。例えば、推定装置１００は、カーナビアプリと移動手段「自動車」とが対応付けられることが定義された情報を、推定装置１００の管理者等から受け付けてもよい。
【００２０】
推定装置１００は、移動手段が対応付けられた位置情報（第１位置情報）を第１位置情報記憶部１２１に蓄積する（ステップＳ０２）。なお、図１での図示は省略しているが、推定装置１００は、ユーザＵ０１以外のユーザからも第１位置情報を取得し、蓄積する。かかる処理により、推定装置１００は、後述するモデル生成に要する充分な第１位置情報を取得する。
【００２１】
その後、推定装置１００は、移動状況を推定するためのモデルを生成する（ステップＳ０３）。例えば、推定装置１００は、ユーザＵ０１から取得した位置情報の推移を参照し、かかる位置情報の特徴量に基づいて、移動手段「自動車」における移動の特徴を学習する。具体的には、推定装置１００は、所定時間ごとのユーザＵ０１の移動量（移動距離）や、所定時間におけるユーザＵ０１の移動速度、ユーザＵ０１が略同一の地点にとどまる時間長、ユーザＵ０１が移動している場所の地図情報（例えば、ユーザＵ０１の位置情報を既知の地図情報に照らした場合に、ユーザＵ０１が道路を移動しているか否か等）等を特徴量として、移動手段「自動車」における移動の特徴を学習する。
【００２２】
推定装置１００は、かかる学習処理を経て、所定のユーザの複数の位置情報が入力された場合に、当該所定のユーザの複数の位置情報が移動手段「自動車」による移動であるか否か、を推定するためのモデルを生成する。言い換えれば、推定装置１００は、所定のユーザの複数の位置情報が入力された場合に、所定のユーザが「自動車で移動している」ことの確度を示す指標値（スコア）を出力するモデルを生成する。推定装置１００は、生成したモデルをモデル記憶部１２２に記憶する。かかるモデル生成には、種々の既知の学習処理等が利用されてもよい。
【００２３】
その後、推定装置１００は、移動手段が不明なユーザであるユーザＵ０２の位置情報（第２位置情報）を取得する（ステップＳ０４）。例えば、ユーザＵ０２は、移動手段が対応付けられたアプリを利用していない状態でユーザ端末１０２によって位置情報が取得されるユーザである。ユーザＵ０２は、例えば、推定装置１００から提供されるアプリのうち、移動手段が対応付けられていないアプリであるポータルサービス用アプリを利用しているものとする。この場合、ユーザ端末１０２は、ポータルサービス用アプリの機能に従い、ポータルサービスのログイン中に継続的にユーザＵ０２の位置情報を取得し、取得した位置情報を推定装置１００に送信する。
【００２４】
推定装置１００は、上記のように移動手段が不明な位置情報（第２位置情報）を取得し、第２位置情報記憶部１２３に蓄積する（ステップＳ０５）。そして、推定装置１００は、モデルに入力する情報として充分な情報量が蓄積された場合に、モデルを用いてユーザＵ０２の移動状況を推定する（ステップＳ０６）。
【００２５】
具体的には、推定装置１００は、所定時間に渡り取得されたユーザＵ０２の第２位置情報をモデルに入力し、出力されるスコアを参照する。そして、推定装置１００は、出力されたスコアが所定の閾値を超える場合には、ユーザＵ０２の移動状況として、ユーザＵ０２の移動手段が「自動車」であり、ユーザＵ０２は自動車で移動中であると推定する。
【００２６】
一方、推定装置１００は、出力されたスコアが所定の閾値以下の場合には、ユーザＵ０２の移動状況として、ユーザＵ０２の移動手段が「自動車」でないと推定する。この場合、推定装置１００は、例えば、ユーザＵ０２の第２位置情報を、他の移動手段に対応する他のモデルに入力してユーザＵ０２の移動状況を推定してもよい。
【００２７】
このように、実施形態に係る推定装置１００は、移動手段が対応付けられたアプリに関連して取得される位置情報である第１位置情報を取得する。また、推定装置１００は、所定のユーザ（図１の例ではユーザＵ０２）の位置を示す位置情報である第２位置情報を取得する。そして、推定装置１００は、取得した第１位置情報に基づく特徴量と、第２取得部によって取得された第２位置情報に基づく特徴量とに基づいて、所定のユーザの移動状況を推定する。
【００２８】
すなわち、実施形態に係る推定装置１００は、カーナビアプリのような、予め移動手段が特定可能なアプリに関連して取得される第１位置情報を正解データとして、所定のユーザの移動手段を推定する。これにより、推定装置１００は、位置情報のみでは推定が困難なユーザの移動手段について、高い精度で推定することができる。結果として、推定装置１００は、ユーザの移動状況を精度よく推定することができる。
【００２９】
なお、上記の図１の例において、推定装置１００が、ユーザ端末１０１及び１０２が検知した位置情報をユーザ端末１０１及び１０２から取得することを示した。しかし、推定装置１００は、ユーザ端末１０１及び１０２からの送信によらず、所定時間おきにユーザ端末１０１及び１０２をクロール（crawl）することにより、位置情報を取得するようにしてもよい。また、推定装置１００は、必ずしもユーザ端末１０１及び１０２自身が検知した位置情報を取得するのではなく、推定装置１００がユーザ端末１０１及び１０２から検出した情報に基づいてユーザ端末１０１及び１０２の位置を推定し、推定した情報をユーザ端末１０１及び１０２の位置情報としてもよい。
【００３０】
また、上記の図１の例において、推定装置１００が、第１位置情報に基づき移動手段の特徴量を抽出することを示した。しかし、推定装置１００は、第１位置情報とともに取得される各種センサ情報（加速度、音、気温、湿度等）を含めた情報に基づき、移動手段の特徴量を抽出してもよい。以下、上記のような実施形態に係る推定処理を実行する推定装置１００、及び推定装置１００を含む推定システム１について、詳細に説明する。
【００３１】
〔２．推定システムの構成〕
次に、図２を用いて、実施形態に係る推定装置１００が含まれる推定システム１の構成について説明する。図２は、実施形態に係る推定システム１の構成例を示す図である。図２に例示するように、実施形態に係る推定システム１には、ユーザ端末１０と推定装置１００とが含まれる。これらの各種装置は、ネットワークＮを介して、有線又は無線により通信可能に接続される。また、図２に示す推定システム１に含まれる各装置の数は図示したものに限られない。例えば、推定システム１には、複数台のユーザ端末１０が含まれてもよい。
【００３２】
ユーザ端末１０は、上述のように、スマートフォンを含む携帯電話機や、タブレット端末や、デスクトップ型ＰＣ（Personal  Computer）や、ノート型ＰＣや、ＰＤＡ（Personal  Digital  Assistant）等の情報処理端末である。また、ユーザ端末１０には、眼鏡型や時計型の情報処理端末であるウェアラブルデバイス（wearable  device）も含まれる。さらに、ユーザ端末１０には、位置情報を取得するための情報処理機能を有する種々のスマート機器が含まれてもよい。例えば、ユーザ端末１０には、ＴＶ（Television）や冷蔵庫、掃除機などのスマート家電や、自動車などのスマートビークル（Smart  vehicle）や、ドローン（drone）、家庭用ロボットなどが含まれてもよい。なお、実施形態に係るアプリは、スマートフォン等のモバイル端末で実行されるアプリに限られず、上記したスマート家電等で実行されるアプリであってもよい。
【００３３】
ユーザ端末１０は、ユーザによる操作や、ユーザ端末１０が有する機能に応じて、自装置の位置情報を取得し、記憶する。例えば、ユーザ端末１０は、上述したＧＰＳシステムなどの外部システムと通信を行うことによって位置情報を取得する。そして、ユーザ端末１０は、取得した位置情報を推定装置１００に送信する。
【００３４】
推定装置１００は、上述のように、移動手段が対応付けられたアプリに関連して取得される位置情報である第１位置情報と所定のユーザの第２位置情報とを取得し、各々の位置情報の特徴量に基づいて所定のユーザの移動状況を推定するサーバ装置である。
【００３５】
なお、推定装置１００は、種々のサービスを提供するサービスサーバとしての機能を有していてもよい。例えば、推定装置１００は、災害情報や各種警報情報を提供する災害情報発信サービスや、交通案内等を発信するナビサービスや、位置情報を利用したゲーム等をユーザに提供する。なお、推定装置１００は、上記サービス以外にも、種々のサービスを提供してもよい。また、推定装置１００は、サービスに係るウェブサイトを提供するウェブサーバとしての機能を有していてもよい。例えば、推定装置１００は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報を含むウェブページをユーザ端末１０に配信してもよい。
【００３６】
〔３．ユーザ端末の構成〕
次に、図３を用いて、実施形態に係るユーザ端末１０の構成について説明する。図３は、実施形態に係るユーザ端末１０の構成例を示す図である。図３に示すように、ユーザ端末１０は、通信部１１と、入力部１２と、表示部１３と、検知部１４と、記憶部１５と、制御部１６とを有する。
【００３７】
（通信部１１について）
通信部１１は、ネットワークＮと有線又は無線で接続され、推定装置１００等との間で情報の送受信を行う。通信部１１は、例えばＮＩＣ（Network  Interface  Card）等によって実現される。
【００３８】
（入力部１２及び表示部１３について）
入力部１２は、ユーザから各種操作を受け付ける入力装置である。例えば、入力部１２は、ユーザ端末１０に備えられた操作キー等によって実現される。表示部１３は、各種情報を表示するための表示装置である。例えば、表示部１３は、液晶ディスプレイ等によって実現される。なお、ユーザ端末１０にタッチパネルが採用される場合には、入力部１２の一部と表示部１３とは一体化される。
【００３９】
（検知部１４について）
検知部１４は、ユーザ端末１０に関する各種情報を検知する。具体的には、検知部１４は、ユーザ端末１０に対するユーザの操作や、ユーザ端末１０の所在する位置情報や、ユーザ端末１０と接続されている機器に関する情報や、ユーザ端末１０における環境等を検知する。図３に示す例では、検知部１４は、操作検知部１４１と、位置検知部１４２と、外部装置検知部１４３と、環境検知部１４４とを有する。
【００４０】
（操作検知部１４１について）
操作検知部１４１は、ユーザ端末１０に対するユーザの操作を検知する。例えば、操作検知部１４１は、入力部１２に入力された情報に基づいて、ユーザの操作を検知する。すなわち、操作検知部１４１は、入力部１２に画面をタッチする操作の入力があったことや、音声の入力があったこと等を検知する。また、操作検知部１４１は、ユーザによって所定のアプリが起動されたことを検知してもよい。かかるアプリがユーザ端末１０内の撮像装置を動作させるアプリである場合、操作検知部１４１は、ユーザによって撮像機能が利用されていることを検知する。また、操作検知部１４１は、ユーザ端末１０内に備えられた加速度センサやジャイロセンサ等で検知されたデータに基づき、ユーザ端末１０自体が動かされているといった操作を検知してもよい。
【００４１】
（位置検知部１４２について）
位置検知部１４２は、ユーザ端末１０の現在位置を検知する。具体的には、位置検知部１４２は、ＧＰＳ衛星から送出される電波を受信し、受信した電波に基づいてユーザ端末１０の現在位置を示す位置（例えば、緯度及び経度）を検知する。
【００４２】
位置検知部１４２は、種々の手法により位置を検知することができる。例えば、位置検知部１４２は、ＧＰＳ衛星に限らず、ユーザ端末１０の様々な通信機能を利用して位置を検知してもよい。
【００４３】
例えば、位置検知部１４２は、ユーザ端末１０のＷｉ−Ｆｉ（登録商標）通信機能や、各通信会社が備える通信網を利用して、ユーザ端末１０の位置を検知する。具体的には、位置検知部１４２は、Ｗｉ−Ｆｉ通信等を行い、付近の基地局やアクセスポイントとの距離を測位することにより、自装置の位置を検知する。
【００４４】
また、位置検知部１４２は、ユーザ端末１０のＢｌｕｅｔｏｏｔｈ（登録商標）機能を利用して位置を検知してもよい。例えば、位置検知部１４２は、Ｂｌｕｅｔｏｏｔｈ機能によって接続されるビーコン（ｂｅａｃｏｎ）発信機と接続することにより、自装置の位置を検知する。
【００４５】
また、位置検知部１４２は、加速度センサやジャイロセンサ等を利用したＰＤＲ（Pedestrian  Dead  Reckoning）技術を利用して自装置の位置を検知してもよい。また、位置検知部１４２は、予め測定された構造物の地磁気のパターンと、自装置が備える地磁気センサとに基づいて、自装置の位置を検知してもよい。
【００４６】
また、例えば、ユーザ端末１０が駅改札や商店等で使用される非接触型ＩＣカードと同等の機能を備えている場合（もしくは、ユーザ端末１０が非接触型ＩＣカードの履歴を読み取る機能を備えている場合）、ユーザ端末１０によって駅での乗車料金の決済等が行われた情報とともに、使用された位置が記録される。位置検知部１４２は、かかる情報を取得することで、ユーザ端末１０の位置を検知してもよい。また、位置は、ユーザ端末１０が備える光学式センサや、赤外線センサ等によって検知されてもよい。
【００４７】
位置検知部１４２は、上述した手法の一つ又は組合せを用いて、自装置の位置を検知する。そして、後述する取得部１６１は、位置検知部１４２が検知した位置と、検知した時間との情報に基づいて、ユーザ端末１０の位置情報を取得する。
【００４８】
（外部装置検知部１４３について）
外部装置検知部１４３は、ユーザ端末１０に接続される外部装置を検知する。例えば、外部装置検知部１４３は、外部装置との相互の通信パケットのやり取りなどに基づいて、外部装置を検知する。そして、外部装置検知部１４３は、検知した外部装置をユーザ端末１０と接続される端末として認識する。また、外部装置検知部１４３は、外部装置との接続の種類を検知してもよい。例えば、外部装置検知部１４３は、外部装置と有線で接続されているか、無線通信で接続されているかを検知する。また、外部装置検知部１４３は、無線通信で用いられている通信方式等を検知してもよい。また、外部装置検知部１４３は、外部装置が発する電波を検知する電波センサや、電磁波を検知する電磁波センサ等によって取得される情報に基づいて、外部装置を検知してもよい。
【００４９】
（環境検知部１４４について）
環境検知部１４４は、ユーザ端末１０における環境を検知する。環境検知部１４４は、ユーザ端末１０に備えられた各種センサや機能を利用し、環境に関する情報を検知する。例えば、環境検知部１４４は、ユーザ端末１０の周囲の音を収集するマイクロフォンや、ユーザ端末１０の周囲の照度を検知する照度センサや、ユーザ端末１０の物理的な動きを検知する加速度センサ（又は、ジャイロセンサなど）や、ユーザ端末１０の周囲の湿度を検知する湿度センサや、ユーザ端末１０の所在位置における磁場を検知する地磁気センサ等を利用する。そして、環境検知部１４４は、各種センサを用いて、種々の情報を検知する。例えば、環境検知部１４４は、ユーザ端末１０の周囲における騒音レベルや、ユーザ端末１０の周囲が撮像に適する照度であるか等を検知する。さらに、環境検知部１４４は、カメラで撮影された写真や映像に基づいて周囲の環境情報を検知してもよい。
【００５０】
（記憶部１５について）
記憶部１５は、各種情報を記憶する。記憶部１５は、例えば、ＲＡＭ（Random  Access  Memory)、フラッシュメモリ（Flash  Memory）等の半導体メモリ素子、または、ハードディスク、光ディスク等の記憶装置によって実現される。例えば、記憶部１５は、検知部１４によって検知された各種情報を、検知された日時と対応付けて記憶する。具体的には、記憶部１５は、位置検知部１４２によって検知された位置に基づく位置情報を記憶する。また、記憶部１５は、ユーザ端末１０にインストールされたアプリに関する情報を記憶する。
【００５１】
（制御部１６について）
制御部１６は、例えば、コントローラ（controller）であり、ＣＰＵ（Central  Processing  Unit）やＭＰＵ（Micro  Processing  Unit）等によって、ユーザ端末１０内部の記憶装置に記憶されている各種プログラムがＲＡＭを作業領域として実行されることにより実現される。また、制御部１６は、コントローラであり、例えば、ＡＳＩＣ（Application  Specific  Integrated  Circuit）やＦＰＧＡ（Field  Programmable  Gate  Array）等の集積回路により実現される。
【００５２】
制御部１６は、推定装置１００にユーザ端末１０の位置情報を提供する処理を制御する。例えば、制御部１６は、ユーザ端末１０の位置情報の提供処理を実現するためのプログラム（アプリ）を実行制御する。プログラムは、推定装置１００にアクセスすることによりユーザ端末１０にダウンロードされ実行されてもよいし、ユーザ端末１０を有するユーザＵ０１による操作に従ってサーバ装置（推定装置１００、又は、各種プログラムを提供する外部サーバ）からダウンロードされ、ユーザ端末１０にインストールされてもよい。
【００５３】
図３に示すように、制御部１６は、取得部１６１と、受信部１６２と、送信部１６３とを有し、以下に説明する情報処理の機能や作用を実現または実行する。例えば、制御部１６は、ＲＡＭを作業領域として上述したプログラムを実行することにより、以下に説明する情報処理の機能や作用を実現する。なお、制御部１６の内部構成は、図３に示した構成に限られず、後述する情報処理を行う構成であれば他の構成であってもよい。また、制御部１６が有する各処理部の接続関係は、図３に示した接続関係に限られず、他の接続関係であってもよい。
【００５４】
（取得部１６１について）
取得部１６１は、各種情報を取得する。例えば、取得部１６１は、検知部１４を制御することにより、検知部１４によって検知される各種情報を取得する。例えば、取得部１６１は、位置検知部１４２によって検知された情報に基づいて、ユーザ端末１０の位置情報を取得する。なお、取得部１６１は、位置情報に限らず、ユーザ端末１０の周囲の環境に関する情報等の各種センサ情報を含む、ユーザ端末１０のコンテキストに関する情報を取得してもよい。
【００５５】
取得部１６１は、所定の時間ごとに位置情報を取得するようにしてもよい。例えば、取得部１６１は、定期的（１分ごとや、３分ごとや、５分ごと等）に、上述した検知部１４を制御すること等により、位置情報を取得する。なお、取得部１６１が位置情報を取得するタイミングは、推定装置１００によって設定されてもよい。
【００５６】
また、取得部１６１は、位置情報に関連するアプリに関する情報を取得する。位置情報に関連するアプリとは、例えば、ユーザの位置を検知させる機能を制御したアプリである。すなわち、取得部１６１は、ユーザの位置情報と、当該位置情報を取得するための処理を制御したアプリとを対応付けた情報を取得する。言い換えれば、取得部１６１は、位置情報とともに、当該位置情報がいずれのアプリの機能によって取得されたものであるかを示す情報を取得する。なお、取得部１６１は、位置情報がいずれかのインストールされたアプリの機能によって取得されたものでなく、例えば、ＯＳ（Operating  System）の機能によって取得されたものであるという情報を取得してもよい。
【００５７】
（受信部１６２について）
受信部１６２は、各種情報を受信する。例えば、受信部１６２は、推定装置１００から送信される位置情報の要求を受信する。受信部１６２は、受信した情報を、制御部１６の各処理部へ送る。
【００５８】
（送信部１６３について）
送信部１６３は、各種情報を送信する。例えば、送信部１６３は、受信部１６２に受信された要求に従い、位置情報を推定装置１００に送信する。
【００５９】
例えば、送信部１６３は、ユーザを識別するための識別情報と、取得部１６１によって取得された位置情報と、当該位置情報を取得するための制御を行ったアプリとを対応付けて、推定装置１００に送信する。このとき、送信部１６３は、取得部１６１によって位置情報が取得されるたびに位置情報を送信してもよいし、所定の期間ごとに位置情報を送信してもよい。例えば、送信部１６３は、定期的（１分ごと、３分ごと、５分ごと、１時間ごとなど）に位置情報が取得部１６１によって取得された場合であっても、予め設定された時間ごとに位置情報を推定装置１００に送信するようにしてもよい。また、送信部１６３が位置情報を送信するタイミングは、推定装置１００によって設定されてもよい。
【００６０】
〔４．推定装置の構成〕
次に、図４を用いて、実施形態に係る推定装置１００の構成について説明する。図４は、実施形態に係る推定装置１００の構成例を示す図である。図４に示すように、推定装置１００は、通信部１１０と、記憶部１２０と、制御部１３０とを有する。なお、推定装置１００は、推定装置１００を利用する管理者等から各種操作を受け付ける入力部（例えば、キーボードやマウス等）や、各種情報を表示するための表示部（例えば、液晶ディスプレイ等）を有してもよい。
【００６１】
（通信部１１０について）
通信部１１０は、例えばＮＩＣ等によって実現される。通信部１１０は、ネットワークＮと有線又は無線で接続され、ネットワークＮを介して、ユーザ端末１０等との間で情報の送受信を行う。
【００６２】
（記憶部１２０について）
記憶部１２０は、例えば、ＲＡＭ、フラッシュメモリ等の半導体メモリ素子、または、ハードディスク、光ディスク等の記憶装置によって実現される。記憶部１２０は、第１位置情報記憶部１２１と、モデル記憶部１２２と、第２位置情報記憶部１２３と、とを有する。
【００６３】
（第１位置情報記憶部１２１について）
第１位置情報記憶部１２１は、ユーザの位置情報のうち、移動手段が対応付けられたアプリに関連して取得された位置情報を記憶する。ここで、図５に、実施形態に係る第１位置情報記憶部１２１の一例を示す。図５は、実施形態に係る第１位置情報記憶部１２１の一例を示す図である。図５に示した例では、第１位置情報記憶部１２１は、「端末ＩＤ」、「ユーザＩＤ」、「第１位置情報」といった項目を有する。また、「第１位置情報」の項目は、「利用アプリ」、「移動手段」、「取得日時」、「位置」、「精度」、「各種センサ情報」といった小項目を有する。
【００６４】
「端末ＩＤ」は、ユーザが利用するユーザ端末１０を識別する識別情報を示す。「ユーザＩＤ」は、ユーザを識別する識別情報を示す。なお、本明細書中では、図５に示すような識別情報を参照符号として用いる場合がある。例えば、ユーザＩＤ「Ｕ０１」によって識別されるユーザを「ユーザＵ０１」と表記する場合がある。
【００６５】
なお、各ユーザは、複数のユーザ端末１０を所有していてもよい。この場合、推定装置１００は、ユーザを一意に識別する識別情報を利用することで、複数のユーザ端末１０から取得された位置情報とユーザとを対応付ける。なお、ユーザの識別情報とは、例えば、推定装置１００が提供するサービスにおいて各ユーザに付与されるサービス用ＩＤ（ユーザアカウント）等である。かかるＩＤは、推定装置１００のみならず、推定装置１００と提携した事業者によって発行されてもよい。これにより、推定装置１００は、一人のユーザが複数のユーザ端末１０を利用していたり、異なる環境でサービスにログインしていたりする場合でも、当該ユーザを一意に特定して位置情報を取得することができる。また、推定装置１００は、ユーザの識別情報として、サービスを利用した際のクッキー（Cookie）情報や、端末固有の端末ＩＤ等を利用してもよい。
【００６６】
「第１位置情報」は、移動手段が対応付けられたアプリに関連して取得された位置情報を示す。「利用アプリ」は、位置情報を取得する制御を行ったアプリの名称もしくは識別情報を示す。「移動手段」は、アプリに対応付けられた移動手段を示す。
【００６７】
「取得日時」は、位置がユーザ端末１０によって検知（取得）された日時を示す。「位置」は、ユーザ（言い換えればユーザ端末１０）の具体的な位置を示す。図５では、位置を「Ｇ０１」といった概念で表記しているが、実際には、位置の項目には、ユーザの位置を示す具体的な情報（例えば経度や緯度の数値等）が記憶される。
【００６８】
「精度」は、ユーザの位置を示す情報の精度を示す。実施形態では、精度は、例えば「低」、「中」、「高」の三段階で示される。精度は、例えば、ユーザ端末１０によって位置が検知された際の検知手段に基づき、ユーザの位置を特定することのできる精度に応じて記憶される。具体的には、ユーザの位置を特定する際に数十メートルから数百メートルの誤差が生じるような検知手段（例えば検知手段がＧＰＳのみであった場合等）の場合、取得された位置情報の精度は「低」となる。また、精度が「低」である位置情報と比較して精度の高い検知手段（例えば、検知手段がＷｉ−ＦｉやＧＰＳ等を組み合わせたものであった場合等）の場合、当該取得手段によって取得された位置情報の精度は「中」となる。また、精度が「中」である第１位置情報と比較して精度の高い検知手段（例えば、検知手段がＢｌｕｅｔｏｏｔｈ（ビーコン）を利用したものであった場合等）の場合、当該取得手段によって取得された第１位置情報の精度は「高」となる。なお、上記した精度の判定は一例であり、推定装置１００は、位置情報の検知の技術に応じて柔軟に精度の判定基準を変更してもよい。
【００６９】
「各種センサ情報」は、位置が検知された際に、各種センサによって検知された情報を示す。図５では、各種センサ情報を「Ｘ０１」といった概念で表記しているが、実際には、各種センサ情報の項目には、ユーザ端末１０の加速度や気温や湿度、周辺の音声情報等の各種センサによって取得された具体的な情報が記憶される。
【００７０】
すなわち、図５では、第１位置情報記憶部１２１に記憶されるデータの一例として、端末ＩＤ「Ｃ０１」によって識別されるユーザ端末１０を利用するユーザＵ０１の第１位置情報として、利用アプリ「カーナビ」によって取得され、移動手段が「自動車」と対応付けられた情報が記憶されていることを示している。また、第１位置情報の一例は、取得日時「Ｔ０１」において位置「Ｇ０１」にユーザＵ０１が所在し、その位置の精度は「中」であり、各種センサ情報が「Ｘ０１」であることを示している。
【００７１】
なお、図５での図示は省略したが、第１位置情報記憶部１２１には、位置情報とともに、ユーザの属性情報等が記憶されてもよい。具体的には、第１位置情報記憶部１２１は、属性情報として、ユーザの年齢や性別や職業や年収や居住地等の種々の具体的な情報を記憶する。
【００７２】
また、第１位置情報記憶部１２１には、サービスの利用履歴等に基づいて、ユーザの興味関心情報や、ユーザの行動履歴等が記憶されてもよい。例えば、興味関心情報は、種々のサービスの利用を介して、推定装置１００によってユーザに設定される情報（ユーザの購買履歴や検索履歴から、ユーザが興味関心を抱いていると想定されるカテゴリや情報の内容等）である。また、行動履歴情報は、種々のサービスにおけるユーザの行動履歴（ウェブページ等の閲覧履歴や、商品の購買履歴や、検索履歴等）である。
【００７３】
（モデル記憶部１２２について）
モデル記憶部１２２は、第１位置情報に基づいて生成されるモデルであって、ユーザの移動状況を推定するために用いられるモデルを記憶する。ここで、図６に、実施形態に係るモデル記憶部１２２の一例を示す。図６は、実施形態に係るモデル記憶部１２２の一例を示す図である。図６に示した例では、モデル記憶部１２２は、「モデルＩＤ」、「移動手段」、「学習データ」といった項目を有する。
【００７４】
「モデルＩＤ」は、モデルを識別する識別情報を示す。「移動手段」は、モデルが推定する移動手段の種別を示す。「学習データ」は、モデルの学習に用いられた情報群を示す。図６では、学習データを「Ｐ０１」といった概念で表記しているが、実際には、学習データの項目には、学習に用いられた複数の第１位置情報に関する情報が記憶される。
【００７５】
すなわち、図６では、モデル記憶部１２２に記憶されるデータの一例として、モデルＩＤ「Ｍ０１」で識別されるモデルＭ０１は、ユーザが移動手段「自動車」で移動しているか否かを推定するためのモデルであり、学習データ「Ｐ０１」を利用して学習（生成）されたモデルであることを示している。
【００７６】
（第２位置情報記憶部１２３について）
第２位置情報記憶部１２３は、所定のユーザの位置を示す位置情報であり、実施形態に係る推定処理の対象となる位置情報である第２位置情報を記憶する。言い換えれば、第２位置情報記憶部１２３は、移動手段が不明であるユーザに対応する位置情報を記憶する。ここで、図７に、実施形態に係る第２位置情報記憶部１２３の一例を示す。図７は、実施形態に係る第２位置情報記憶部１２３の一例を示す図である。図７に示した例では、第２位置情報記憶部１２３は、「端末ＩＤ」、「ユーザＩＤ」、「第２位置情報」といった項目を有する。また、「第２位置情報」の項目は、「取得日時」、「位置」、「精度」、「各種センサ情報」といった小項目を有する。
【００７７】
「端末ＩＤ」、「ユーザＩＤ」、「取得日時」、「位置」、「精度」及び「各種センサ情報」といった各項目は、図５で示した同一の項目に対応する。「第２位置情報」は、移動手段が不明であるユーザから取得された位置情報を示す。
【００７８】
すなわち、図７では、第２位置情報記憶部１２３に記憶されるデータの一例として、端末ＩＤ「Ｃ０２」によって識別されるユーザ端末１０を利用するユーザＵ０２の第２位置情報が記憶されていることを示している。また、ユーザＵ０２の第２位置情報の一例は、取得日時「Ｔ２１」において位置「Ｇ２１」にユーザＵ０２が所在し、その位置の精度は「中」であり、各種センサ情報が「Ｘ２１」であることを示している。
【００７９】
なお、第２位置情報記憶部１２３には、第１位置情報記憶部１２１と同様、ユーザの属性情報や、ユーザの興味関心情報や、ユーザの行動履歴等が記憶されてもよい。
【００８０】
（制御部１３０について）
制御部１３０は、例えば、コントローラであり、ＣＰＵやＭＰＵ等によって、推定装置１００内部の記憶装置に記憶されている各種プログラム（推定プログラムの一例に相当）がＲＡＭを作業領域として実行されることにより実現される。また、制御部１３０は、コントローラであり、例えば、ＡＳＩＣやＦＰＧＡ等の集積回路により実現される。
【００８１】
図４に示すように、制御部１３０は、第１取得部１３１と、生成部１３２と、第２取得部１３３と、推定部１３４とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００８２】
（第１取得部１３１について）
第１取得部１３１は、移動手段が対応付けられたアプリに関連して取得される位置情報である第１位置情報を取得する。
【００８３】
例えば、第１取得部１３１は、歩行又は自転車による移動手段が対応付けられたナビアプリによって取得される第１位置情報を取得する。具体的には、第１取得部１３１は、歩行や自転車等の移動手段を前提としてユーザのナビゲーションを行うためのアプリによって取得される位置情報を、第１位置情報として取得する。
【００８４】
また、第１取得部１３１は、自動車による移動手段が対応付けられたカーナビアプリによって取得される第１位置情報を取得する。例えば、第１取得部１３１は、カーナビアプリを起動してカーナビゲーションを行っているユーザ端末１０から、第１位置情報を取得する。
【００８５】
また、第１取得部１３１は、自動車の配車を要求するアプリである配車アプリを利用したユーザの位置情報であって、当該配車アプリを介して配車された自動車で当該ユーザが移動した区間において取得された位置情報を、第１位置情報として取得してもよい。配車アプリとは、例えば、タクシーを所定の位置に呼ぶためのタクシー配車アプリである。タクシー配車アプリによれば、乗車した時間情報や、タクシーを降車した時間（例えば、アプリを介して乗車料金を支払いが行われた時間）が記憶される。第１取得部１３１は、例えば、タクシー配車アプリによって取得された情報に基づき、ユーザが移動した区間を特定し、当該区間において取得された位置情報を、第１位置情報として取得する。この場合、かかる区間の移動を示す位置情報では、移動手段として「自動車（タクシー）」が対応付けられる。
【００８６】
また、第１取得部１３１は、路線検索アプリを利用したユーザの位置情報であって、当該路線検索アプリによって示された乗車時間において取得された位置情報を、当該路線検索アプリによって示された移動手段とともに前記第１位置情報として取得してもよい。
【００８７】
例えば、ユーザは、電車の路線検索を行うアプリを利用し、所望する行先へ向かう電車の乗車時間及び降車時間を検索する。このとき、乗車時間から降車時間までの間にユーザは電車に乗っていると想定される。そこで、第１取得部１３１は、路線検索アプリによって示された乗車時間において取得された位置情報を、移動手段「電車」と対応付けた第１位置情報として取得する。なお、路線検索アプリは、電車に限らず、バス等の他の交通機関の路線検索を行ってもよい。この場合、第１取得部１３１は、ユーザが検索した移動手段が対応付けられた第１位置情報を取得する。
【００８８】
また、第１取得部１３１は、位置情報とともに、位置情報に対応する地図情報を取得してもよい。地図情報とは、位置情報に対応する位置がプロット可能な情報であり、例えば、河川や山等の地形情報や、道路や線路等の人工物の情報を含む。かかる地図情報によれば、ユーザがどのような経路を移動しているかを抽出することができる。具体的には、推定装置１００は、ユーザの位置情報の推移を地図情報にプロットすることにより、ユーザが線路上を推移しているか、道路上を推移しているか、あるいは、海上を推移しているかといった経路情報を抽出することができる。後述する推定部１３４は、これらの地形情報や経路情報に基づき、ユーザがどのような移動手段で移動しているかを精度高く推定することができる。
【００８９】
また、第１取得部１３１は、第１位置情報とともに、第１位置情報に対応するセンサ情報を取得してもよい。センサ情報とは、ユーザ端末１０の検知部１４によって検知される各種情報である。例えば、ユーザ端末１０は、ユーザの位置を検知するとともに、周囲の音声情報（例えば、ユーザが乗車している自動車や電車が発する環境音等）や、加速度や、温度や湿度等を検知する。第１取得部１３１は、このように位置とともに検知されたセンサ情報をユーザ端末１０から取得する。
【００９０】
また、第１取得部１３１は、取得した第１位置情報において、位置が検知された精度を取得する。上述のように、ユーザ端末１０は、種々の機能（取得手段）を用いて位置を検知する。そして、一般に、ユーザの位置を示す情報は、検知に用いられる機能によって精度が異なる。例えば、ＧＰＳでユーザの位置を検知する場合と、Ｗｉ−Ｆｉによる通信機能を用いてユーザの位置を検知する場合と、ビーコンによる通信機能を用いてユーザの位置を検知する場合とでは、ユーザの位置を特定する精度が異なる。例えば、ビーコンによる通信機能を用いてユーザの位置を検知する場合、建物内のどこにユーザが所在しているかといった、数メートル範囲の精度でユーザの位置を特定可能である。一方で、ＧＰＳでユーザの位置を検知する場合、建物内のどこにユーザが所在しているかといった数メートル範囲の精度でユーザの位置を特定することは難しい。一般に、精度の高い位置情報を利用した方が、よりユーザが移動した地形や経路等を正確に特定できるため、推定装置１００は、例えば精度の高い位置情報を優先的に取得するようにしてもよい。
【００９１】
例えば、第１取得部１３１は、ユーザ端末１０から位置に関する情報を取得する際に、上記のようにユーザ端末１０が位置を検知した場合の検知手段について取得する。そして、第１取得部１３１は、第１位置情報として、位置と検知手段（言い換えれば、精度）とを対応付けた情報を取得する。この場合、第１取得部１３１は、検知手段と精度との関係性を定義した定義情報等を予め取得していてもよい。具体的には、第１取得部１３１は、推定装置１００の管理者等から、ビーコン機能を利用して検知された位置情報の精度が「高」である、といった定義情報を取得しておく。そして、第１取得部１３１は、位置に関する情報と検知手段とをユーザ端末１０から取得した場合に、当該検知手段に応じた精度の情報を位置と対応付け、対応付けた情報を第１位置情報として取得する。
【００９２】
また、第１取得部１３１は、第１位置情報とともに、ユーザに関する各種情報を取得してもよい。例えば、第１取得部１３１は、利用するサービスにおいてユーザが登録した情報に基づいて、ユーザの属性情報を取得する。また、第１取得部１３１は、サービスにおけるユーザの興味関心情報や、ユーザの行動履歴情報を取得してもよい。第１取得部１３１は、種々の既存の技術（例えば、ユーザの興味関心や行動に基づいて広告を配信するための広告配信技術等）を利用して、種々の情報を取得してもよい。また、第１取得部１３１は、曜日情報を含めた日時情報とともに第１位置情報を取得するようにしてもよい。
【００９３】
また、第１取得部１３１は、第１位置情報として、ユーザ端末１０と他の装置における通信の状況を取得してもよい。具体的には、第１取得部１３１は、ユーザ端末１０がアクセスポイントを介してインターネットなどにアクセスしている通信状況を取得する。この場合、第１取得部１３１は、アクセスポイントとの通信状況から検出される情報を第１位置情報として取得する。具体的には、第１取得部１３１は、ユーザ端末１０と通信中のアクセスポイントの設置位置を割り出し、割り出したアクセスポイントの設置位置に基づいて、当該ユーザ端末１０の第１位置情報として取得するようにしてもよい。また、第１取得部１３１は、駅改札の装置とユーザ端末１０との通信を検出することでユーザ端末１０の位置を取得したり、ユーザ端末１０のＩＰアドレスに基づいて位置を取得したりしてもよい。
【００９４】
また、第１取得部１３１は、必ずしもユーザ端末１０が位置を検知した時間と同じ時間に第１位置情報を取得しなくてもよい。すなわち、第１取得部１３１は、リアルタイムに第１位置情報を取得するのではなく、後述する各種処理に利用する際に、ユーザ端末１０の記憶部１５に記憶されている位置情報をまとめて第１位置情報として取得してもよい。第１取得部１３１は、取得した第１位置情報を第１位置情報記憶部１２１に格納する。そして、後述する生成部１３２は、第１取得部１３１によって取得された第１位置情報がモデル生成に充分な量に達した場合に、移動手段に対応するモデルを生成する。
【００９５】
（生成部１３２について）
生成部１３２は、第１取得部１３１によって取得された第１位置情報に基づいて、当該第１位置情報に対応するユーザの移動状況を推定するためのモデルを生成する。
【００９６】
例えば、生成部１３２は、対応付けられた移動手段ごとに第１位置情報の特徴量を抽出するための学習を行う。具体的には、生成部１３２は、位置情報の推移に基づいて抽出される特徴量を学習する。例えば、生成部１３２は、特徴量として、所定時間（例えば、特定のユーザにおいて２つの連続した位置情報が取得されるまでの時間）における移動速度や移動距離を抽出する。
【００９７】
また、生成部１３２は、地図情報に基づき、ユーザの移動において選択された地形や経路を特徴量として抽出してもよい。仮にユーザの移動手段が電車であれば、ユーザの移動において選択される経路は常に線路上であると想定される。すなわち、生成部１３２は、移動手段が電車であるユーザは移動の経路として線路を選択する傾向にあるという特徴量を抽出する。
【００９８】
そして、生成部１３２は、抽出した特徴量に基づいて、ユーザの移動手段を推定するためのモデルを生成する。なお、モデルの学習処理や生成処理については、既存の処理が利用されてもよい。例えば、生成部１３２は、取得した第１位置情報をディープラーニング（Deep  Learning）等を用いて学習することで、移動手段ごとの第１位置情報における特徴量を抽出し、移動手段ごとのモデルを生成してもよい。
【００９９】
具体的には、生成部１３２は、移動手段が不明である第２位置情報が入力された場合に、当該第２位置情報に対応するユーザの移動手段がモデルに対応する移動手段であるか否かを示す指標値（スコア）を出力するモデルを生成する。具体的には、生成部１３２は、自動車という移動手段が対応付けられた第１位置情報を用いて、第２位置情報に対応するユーザの移動手段が自動車であるか否かを推定するためのモデルを生成する。
【０１００】
なお、生成部１３２は、取得されたセンサ情報等も含めてユーザの移動手段を推定するモデルを生成してもよい。この場合、生成部１３２は、ユーザの移動手段を判定するための要素（特徴量）として、各種センサ情報を追加したモデルを生成する。例えば、生成部１３２は、位置情報とともに検知される音声情報を用いたモデルを生成する。この場合、生成部１３２は、第１取得部１３１によって取得された情報に基づいて、判定基準となるような特徴を有する音声情報（例えば、自動車の走行音やエンジン音等）を抽出し、かかる特徴量を含むモデルを生成する。この場合、後述する推定部１３４は、例えば、第２位置情報とともに音声情報を取得した場合、第２位置情報とともに、取得した音声をモデルに入力する。そして、かかる音声情報が、例えば自動車の走行音やエンジン音等に類似する特徴を有する場合、推定部１３４は、当該ユーザが移動手段として自動車を利用している可能性が高いと推定することができる。これは、かかる音声情報がモデルに入力されることで、音声情報が入力されない場合と比較して、モデルから比較的高いスコアが出力されると想定されることによる。
【０１０１】
生成部１３２は、移動手段ごとに生成したモデルをモデル記憶部１２２に記憶する。なお、生成部１３２は、移動手段ごとにモデルを生成するのではなく、第２位置情報が入力された場合に、当該第２位置情報のユーザがどのような移動手段を利用しているかを示す複数の指標値を出力する単一のモデルを生成してもよい。
【０１０２】
生成部１３２は、既知のいかなる学習アルゴリズムを用いてモデルを生成してもよい。例えば、生成部１３２は、ニューラルネットワーク、サポートベクターマシン（support  vector  machine）、クラスタリング、強化学習等の学習アルゴリズムを用いてモデルを生成してもよい。例えば、モデルは、所定のデータ（例えば、処理対象となるユーザの第２位置情報）が入力される入力層と、正例データ（例えば、第１位置情報に対応付けられた移動手段）との相関性を示すスコアを出力する出力層と、入力層から出力層までのいずれかの層であって出力層以外の層に属する判定要素（例えば、第１位置情報から抽出された特徴量）と、各判定要素の重み値とを含む構成であってもよい。
【０１０３】
（第２取得部１３３について）
第２取得部１３３は、所定のユーザの位置を示す位置情報である第２位置情報を取得する。例えば、第２取得部１３３は、移動手段が不明であるユーザの位置情報として第２位置情報を取得する。
【０１０４】
第２取得部１３３は、第１取得部１３１と同様、地図情報や、各種センサ情報とともに第２位置情報を取得してもよい。なお、第２取得部１３３は、ユーザの識別情報と対応付けられた位置情報を第２位置情報として取得し、第２位置情報記憶部１２３に格納する。そして、第２取得部１３３は、所定のユーザの第２位置情報が推定処理に充分な量が蓄積された場合に、当該第２位置情報を推定部１３４に送る。
【０１０５】
（推定部１３４について）
推定部１３４は、第１取得部１３１によって取得された第１位置情報に基づく特徴量と、第２取得部１３３によって取得された第２位置情報に基づく特徴量とに基づいて、所定のユーザの移動状況を推定する。
【０１０６】
例えば、推定部１３４は、生成部１３２によって生成されたモデルを利用して、第２取得部１３３によって取得された第２位置情報に基づいて所定のユーザの移動状況を推定する。具体的には、推定部１３４は、第２位置情報をモデルに入力し、出力されたスコアに基づいて、所定のユーザの移動状況を推定する。
【０１０７】
例えば、推定部１３４は、歩行又は自転車による移動手段が対応付けられたナビアプリによって取得された第１位置情報に基づいて、所定のユーザの移動状況として、所定のユーザが歩行又は自転車による移動を行っていることを推定する。例えば、推定部１３４は、歩行又は自転車による移動手段が対応付けられたナビアプリによって取得された第１位置情報に基づいて生成されたモデルを利用することにより、所定のユーザが歩行又は自転車による移動を行っているか否かを推定する。
【０１０８】
また、推定部１３４は、自動車による移動手段が対応付けられたカーナビアプリによって取得された第１位置情報に基づいて、所定のユーザの移動状況として、所定のユーザが自動車による移動を行っていることを推定する。例えば、推定部１３４は、カーナビアプリによって取得された第１位置情報に基づいて生成されたモデルを利用することにより、所定のユーザが自動車による移動を行っているか否かを推定する。
【０１０９】
また、推定部１３４は、配車アプリを介して配車された自動車でユーザが移動した区間において取得された第１位置情報に基づいて、所定のユーザの移動状況として、所定のユーザが自動車による移動を行っていることを推定してもよい。例えば、推定部１３４は、配車アプリを介して配車された自動車でユーザが移動した区間において取得された第１位置情報に基づいて生成されたモデルを利用することにより、所定のユーザが自動車による移動を行っているか否かを推定する。なお、推定部１３４は、例えばタクシー配車アプリを介して配車されたタクシーでユーザが移動した区間において取得された第１位置情報のみに基づいて生成されたモデルを利用してもよい。この場合、推定部１３４は、ユーザが自動車による移動を行っていることのみならず、当該ユーザが「タクシー」による移動を行っていることを推定することもできる。
【０１１０】
また、推定部１３４は、路線検索アプリによって示された乗車時間において取得された第１位置情報に基づいて、所定のユーザの移動状況として、所定のユーザが路線検索アプリによって示された移動手段による移動を行っていることを推定してもよい。例えば、推定部１３４は、路線検索アプリにおける移動手段に応じて、例えばユーザが電車で移動したことや、バスで移動したことや、飛行機で移動したこと等を推定する。
【０１１１】
また、推定部１３４は、地図情報に基づき抽出される第１位置情報が示す経路もしくは地形情報と、地図情報に基づき抽出される第２位置情報が示す経路もしくは地形情報とに基づいて、所定のユーザの移動状況を推定してもよい。すなわち、推定部１３４は、位置情報が示す位置（例えば経度や緯度の数値）のみならず、位置情報に対応する地図情報を用いて、ユーザが移動している地形や経路を抽出する。
【０１１２】
例えば、生成部１３２は、第１位置情報においてユーザが移動している地形や経路を含めたモデルを生成する。そして、推定部１３４は、第２位置情報に対応する地図情報（例えば、ユーザが移動している地形等）を含めて、当該第２位置情報をモデルに入力する。これにより、推定部１３４は、第２位置情報に対応するユーザがどのような地形や経路を移動しているかといった情報を入力することができるので、第１位置情報に対応する移動手段との関連性を、より精度高く出力することができる。具体的には、推定部１３４は、第２位置情報に対応するユーザが道路を移動している場合には移動手段が「自動車」であると高い確度で推定し、第２位置情報に対応するユーザが線路上を移動している場合には移動手段が「電車」であると高い確度で推定することができる。あるいは、推定部１３４は、第２位置情報に対応するユーザが海上を移動している場合には移動手段が「船」や「飛行機」であると高い確度で推定することができる。
【０１１３】
また、推定部１３４は、第１位置情報に対応するセンサ情報と、第２位置情報に対応するセンサ情報とに基づいて、所定のユーザの移動状況を推定してもよい。例えば、推定部１３４は、第１位置情報に対応する音声情報もしくは加速度情報と、第２位置情報に対応する音声情報もしくは加速度情報とに基づいて、所定のユーザの移動状況を推定する。
【０１１４】
例えば、推定部１３４は、第１位置情報とともに取得された音声情報（例えば、自動車の走行音やエンジン音等）と、第２位置情報とともに取得された音声情報との類似度を、第２位置情報に対応するユーザの移動手段が「自動車」であるか否かの判定要素の一つとしてよい。また、推定部１３４は、第１位置情報とともに取得された加速度情報（例えば、静止点から所定の速度に達するまでの時間）と、第２位置情報とともに取得された加速度情報との類似度を、第２位置情報に対応するユーザの移動手段が「自動車」であるか否かの判定要素の一つとしてよい。また、推定部１３４は、音声情報や加速度情報以外にも、温度や湿度、高度等の情報を用いて推定処理を行ってもよい。例えば、移動する環境が特殊なことから温度や湿度や高度等に特徴を有する移動手段（例えば船や飛行機等）については、センサ情報の類似度を判定することにより、推定処理の精度を向上させることができる。
【０１１５】
〔５．処理手順〕
次に、図８及び図９を用いて、実施形態に係る推定装置１００による処理の手順について説明する。まず、図８を用いて、推定装置１００によるモデルの生成処理の手順について説明する。図８は、実施形態に係る処理手順を示すフローチャート（１）である。
【０１１６】
図８に示すように、推定装置１００は、ユーザから第１位置情報を取得したか否かを判定する（ステップＳ１０１）。第１位置情報を取得していない場合（ステップＳ１０１；Ｎｏ）、推定装置１００は、取得するまで待機する。
【０１１７】
一方、第１位置情報を取得した場合（ステップＳ１０１；Ｙｅｓ）、推定装置１００は、取得した第１位置情報を記憶部１２０内に記憶する（ステップＳ１０２）。そして、推定装置１００は、モデルの生成処理に充分な量の第１位置情報が蓄積されたか否かを判定する（ステップＳ１０３）。充分な第１位置情報が蓄積されていない場合（ステップＳ１０３；Ｎｏ）、推定装置１００は、第１位置情報の取得処理を繰り返す（ステップＳ１０１）。
【０１１８】
一方、充分な第１位置情報が蓄積された場合（ステップＳ１０３；Ｙｅｓ）、推定装置１００は、蓄積された第１位置情報を利用して、移動手段ごとに、ユーザの移動手段を推定するためのモデルを生成する（ステップＳ１０４）。推定装置１００は、生成したモデルを記憶部１２０内に記憶する（ステップＳ１０５）。なお、推定装置１００は、新たに第１位置情報を取得した場合、適宜、生成したモデルを更新してもよい。
【０１１９】
次に、図９を用いて、推定装置１００による推定処理の手順について説明する。図９は、実施形態に係る処理手順を示すフローチャート（２）である。
【０１２０】
推定装置１００は、所定のユーザから第２位置情報を取得したか否かを判定する（ステップＳ２０１）。第２位置情報を取得していない場合（ステップＳ２０１；Ｎｏ）、推定装置１００は、取得するまで待機する。
【０１２１】
一方、第２位置情報を取得した場合（ステップＳ２０１；Ｙｅｓ）、推定装置１００は、取得した第２位置情報を記憶部１２０内に記憶する（ステップＳ２０２）。そして、推定装置１００は、移動状況の推定処理に充分な量の第２位置情報が蓄積されたか否かを判定する（ステップＳ２０３）。充分な第２位置情報が蓄積されていない場合（ステップＳ２０３；Ｎｏ）、推定装置１００は、第２位置情報の取得処理を繰り返す（ステップＳ２０１）。
【０１２２】
一方、充分な第２位置情報が蓄積された場合（ステップＳ２０３；Ｙｅｓ）、推定装置１００は、モデルを利用して、第２位置情報に対応するユーザの移動手段（移動状況）を推定する（ステップＳ２０４）。
【０１２３】
〔６．変形例〕
上述した推定装置１００は、上記実施形態以外にも種々の異なる形態にて実施されてよい。そこで、以下では、実施形態の変形例について説明する。
【０１２４】
〔６−１．ユーザの状況の推定〕
上記実施形態では、推定装置１００が、ユーザの移動状況として、主としてユーザの移動手段を推定する例を示した。ここで、推定装置１００は、移動手段のみならず、移動中のユーザの状況や感情を推定する処理を行ってもよい。
【０１２５】
例えば、推定装置１００は、第１位置情報を取得する際に、ユーザの感情を示す情報等を取得する。例えば、推定装置１００は、ユーザが他のユーザと会話やチャットを行うコミュニケーションアプリによって位置情報を取得するとともに、当該会話等の内容を取得する。そして、推定装置１００は、例えば会話等の内容がポジティブなものである場合、当該位置情報とともに、ユーザの感情がポジティブであることを記憶する。あるいは、推定装置１００は、音楽を視聴するための音声再生アプリによって位置情報を取得するとともに、ユーザが音楽を視聴している状況を取得する。
【０１２６】
その後、推定装置１００は、感情等の情報を伴わない第２位置情報を取得する。そして、推定装置１００は、第１位置情報に対応する位置の推移と第２位置情報に対応する位置の推移とに基づいて、第２位置情報に対応するユーザの移動状況として、当該ユーザの感情を推定する。例えば、推定装置１００は、第２位置情報が、第１位置情報において複数のユーザがポジティブな会話等を頻繁に行っている経路や領域を移動していることを示す場合、第２位置情報に対応するユーザも、ポジティブな感情を有していると推定する。あるいは、推定装置１００は、第２位置情報が、第１位置情報において複数のユーザが音楽を視聴する頻度が比較的高い経路や領域を移動していることを示す場合、第２位置情報に対応するユーザも、音楽を視聴する傾向にあると推定する。
【０１２７】
このように、推定装置１００は、移動手段のみならず、第１位置情報におけるユーザが採っている行動や、推測される感情等に基づいて、第２位置情報に対応するユーザの状況（感情等）を推定する。これにより、推定装置１００は、例えば、あるショッピングモールやテーマパークにおいてユーザが好意的な感情を抱くエリアや、ネガティブな感情を抱くエリアや、気持ちが高揚するエリアなどを特定することができる。
【０１２８】
なお、推定装置１００は、上記のコミュニケーションアプリ等の内容に基づいて、ユーザの移動手段を推定してもよい。例えば、推定装置１００は、コミュニケーションアプリにおけるユーザのメッセージのうち、「今、車で向かっているよ」や、「渋滞しているから遅れる」など、移動手段が推定可能なメッセージを抽出する。例えば、推定装置１００は、移動手段と対応付けた単語等の定義情報（例えば、「自動車」と「渋滞」など）を予め保持しておき、定義情報に基づいて、ユーザの移動手段を推定してもよい。また、推定装置１００は、ユーザが自動車等に乗車している際に発するメッセージの特徴を学習したモデルを生成し、当該モデルに基づいて、ユーザが自動車に乗車していることを推定してもよい。
【０１２９】
〔６−２．アプリの種別〕
上記実施形態では、推定装置１００が、カーナビアプリ等を利用したユーザから第１位置情報を取得する例を示したが、アプリの例はこれらに限られない。
【０１３０】
例えば、推定装置１００は、ランニングの記録を行うランニングアプリによって取得された第１位置情報を取得してもよい。かかる第１位置情報に基づいて推定処理を行うことにより、推定装置１００は、第２位置情報が取得された場合に、当該第２位置情報に対応するユーザがランニングを行っているか、あるいは単に歩行しているかを高精度に推定することができる。
【０１３１】
また、推定装置１００は、サイクリングの記録を行うサイクリングアプリによって取得された第１位置情報を取得してもよい。かかる第１位置情報に基づいて推定処理を行うことにより、推定装置１００は、第２位置情報が取得された場合に、当該第２位置情報に対応するユーザが自転車に乗って移動しているか、あるいは単に歩行しているかを高精度に推定することができる。
【０１３２】
また、推定装置１００は、航空機や新幹線等の交通機関に関する予約アプリ等によって取得された第１位置情報を取得してもよい。例えば、推定装置１００は、ユーザが交通機関の予約を行った時間帯において位置情報が取得される場合、当該交通機関を移動手段として推定して、第１位置情報を取得する。
【０１３３】
〔６−３．位置情報〕
上記実施形態では、位置情報は、ユーザ端末１０が取得するＧＰＳ情報や、アクセスポイント等から取得することを説明した。しかし、推定装置１００は、異なる情報からユーザ端末１０の位置情報を取得してもよい。
【０１３４】
例えば、推定装置１００は、ユーザが各種サービスを利用した履歴に基づいて、ユーザ端末１０の位置情報を取得してもよい。具体的には、推定装置１００は、路線検索サービスにおいて頻繁にユーザ端末１０から入力される駅を、ユーザの最寄り駅と推定する。そして、推定装置１００は、最寄り駅を含む所定範囲をユーザ端末１０が所在する地域として取得してもよい。かかる処理によれば、推定装置１００は、ユーザ端末１０が位置情報を取得する機能を有していない場合であっても、ユーザ端末１０の位置情報を取得することができる。
【０１３５】
また、ユーザ端末１０は、動作する複数のアプリ間において、相互に位置情報のやり取りを行ってもよい。例えば、推定装置１００が、ユーザ端末１０に係るポータルアプリから位置情報を取得しているとする。一方で、ユーザは、ポータルアプリと同時にカーナビアプリを起動しており、当該カーナビアプリは、推定装置１００との通信を行っていないものとする。このとき、ユーザ端末１０に係るポータルアプリは、カーナビアプリがユーザ端末１０において起動しているという情報（例えば、位置情報に付与されるフラグ）とともに、ポータルアプリで取得された位置情報を推定装置１００に送信する。これにより、推定装置１００は、移動手段が不明なポータルアプリから位置情報を取得した場合であっても、ユーザ端末１０においてカーナビアプリが起動しているという情報に基づいて、当該位置情報に対応する移動手段が自動車である、と推定することができる。
【０１３６】
〔６−４．ユーザ端末の構成〕
上記実施形態では、ユーザ端末１０の構成例について図３を用いて説明した。しかし、ユーザ端末１０は、図３で例示した全ての処理部を備えることを必ずしも要しない。例えば、ユーザ端末１０は、表示部１３や検知部１４を必ずしも備えていなくてもよい。また、ユーザ端末１０は、２以上の機器に分離されて図３を示す構成が実現されてもよい。例えば、ユーザ端末１０は、少なくとも検知部１４と取得部１６１とを有する検知装置と、少なくとも通信部１１を有する通信装置とが分離された構成を有する、２台以上の機器により実現されてもよい。
【０１３７】
〔７．ハードウェア構成〕
上述してきた実施形態に係る推定装置１００やユーザ端末１０は、例えば図１０に示すような構成のコンピュータ１０００によって実現される。以下、推定装置１００を例に挙げて説明する。図１０は、推定装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３８】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１３９】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応）を介して他の機器からデータを受信してＣＰＵ１１００へ送り、ＣＰＵ１１００が生成したデータを、通信網５００を介して他の機器へ送信する。
【０１４０】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１４１】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４２】
例えば、コンピュータ１０００が実施形態に係る推定装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１４３】
〔８．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１４４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示した第１取得部１３１と第２取得部１３３とは統合されてもよい。また、例えば、記憶部１２０に記憶される情報は、ネットワークＮを介して、外部に備えられた記憶装置に記憶されてもよい。
【０１４５】
また、例えば、上記実施形態では、推定装置１００が、ユーザ端末１０の位置情報を取得する取得処理と、第２位置情報に対応するユーザの移動状況を推定する推定処理とを行う例を示した。しかし、上述した推定装置１００は、取得処理を行う取得装置と、推定処理を行う推定装置とに分離されてもよい。この場合、取得装置は、第１取得部１３１や第２取得部１３３を少なくとも有する。推定装置は、推定部１３４を少なくとも有する。また、実施形態に係る推定装置１００による処理は、取得装置と、推定装置といった各装置を含む推定システム１によって実現される。
【０１４６】
また、上述してきた実施形態及び変形例は、処理内容を矛盾させない範囲で適宜組み合わせることが可能である。
【０１４７】
〔９．効果〕
上述してきたように、実施形態に係る推定装置１００は、第１取得部１３１と、第２取得部１３３と、推定部１３４とを有する。第１取得部１３１は、移動手段が対応付けられたアプリに関連して取得される位置情報である第１位置情報を取得する。第２取得部１３３は、所定のユーザの位置を示す位置情報である第２位置情報を取得する。推定部１３４は、第１取得部１３１によって取得された第１位置情報に基づく特徴量と、第２取得部１３３によって取得された第２位置情報に基づく特徴量とに基づいて、所定のユーザの移動状況を推定する。
【０１４８】
このように、実施形態に係る推定装置１００は、予め移動手段が特定可能なアプリに関連して取得される第１位置情報を正解データとして、所定のユーザの移動手段を推定する。これにより、推定装置１００は、位置情報のみでは推定が困難なユーザの移動手段についても、ユーザの移動状況を精度よく推定することができる。
【０１４９】
また、実施形態に係る推定装置１００は、第１取得部１３１によって取得された第１位置情報に基づいて、当該第１位置情報に対応するユーザの移動状況を推定するためのモデルを生成する生成部１３２をさらに有する。推定部１３４は、生成部１３２によって生成されたモデルを利用して、第２取得部１３３によって取得された第２位置情報に基づいて所定のユーザの移動状況を推定する。
【０１５０】
このように、実施形態に係る推定装置１００は、第１位置情報に基づいて生成したモデルを利用することにより、より高い精度でユーザの移動状況を推定することができる。
【０１５１】
また、第１取得部１３１は、歩行又は自転車による移動手段が対応付けられたナビアプリによって取得される第１位置情報を取得する。推定部１３４は、第１取得部１３１によって取得された第１位置情報に基づいて、所定のユーザの移動状況として、当該所定のユーザが歩行又は自転車による移動を行っていることを推定する。
【０１５２】
このように、実施形態に係る推定装置１００は、歩行や自転車等の移動手段が対応付けられたアプリによって取得された位置情報を利用することで、適切な正解データに基づいた推定処理を行うことができる。
【０１５３】
また、第１取得部１３１は、自動車による移動手段が対応付けられたカーナビアプリによって取得される第１位置情報を取得する。推定部１３４は、第１取得部１３１によって取得された第１位置情報に基づいて、所定のユーザの移動状況として、当該所定のユーザが自動車による移動を行っていることを推定する。
【０１５４】
このように、実施形態に係る推定装置１００は、自動車の移動手段が対応付けられたアプリによって取得された位置情報を利用することで、適切な正解データに基づいた推定処理を行うことができる。
【０１５５】
また、第１取得部１３１は、自動車の配車を要求するアプリである配車アプリを利用したユーザの位置情報であって、当該配車アプリを介して配車された自動車で当該ユーザが移動した区間において取得された位置情報を、第１位置情報として取得する。推定部１３４は、第１取得部１３１によって取得された第１位置情報に基づいて、所定のユーザの移動状況として、当該所定のユーザが自動車による移動を行っていることを推定する。
【０１５６】
このように、実施形態に係る推定装置１００は、配車アプリによって取得される情報を利用することによって、ユーザが乗車した区間を含めて詳細な移動手段と位置情報を取得できるので、推定の精度を向上させることができる。
【０１５７】
また、第１取得部１３１は、路線検索アプリを利用したユーザの位置情報であって、当該路線検索アプリによって示された乗車時間において取得された位置情報を、当該路線検索アプリによって示された移動手段とともに第１位置情報として取得する。推定部１３４は、第１取得部１３１によって取得された第１位置情報に基づいて、所定のユーザの移動状況として、当該所定のユーザが路線検索アプリによって示された移動手段による移動を行っていることを推定する。
【０１５８】
このように、実施形態に係る推定装置１００は、路線検索アプリによって取得される情報を利用することによって、ユーザが利用した交通機関（移動手段）と乗車した区間という正解データを取得する。これにより、推定装置１００は、推定の精度を向上させることができる。
【０１５９】
また、第１取得部１３１は、位置情報に対応する地図情報を取得する。推定部１３４は、第１取得部１３１によって取得された地図情報に基づき抽出される第１位置情報が示す経路もしくは地形情報と、当該地図情報に基づき抽出される第２位置情報が示す経路もしくは地形情報とに基づいて、所定のユーザの移動状況を推定する。
【０１６０】
このように、実施形態に係る推定装置１００は、道路や線路、河川や海上などの地形情報や、地図上の経路等の情報を含めて推定処理を行うことができるので、推定の精度を向上させることができる。
【０１６１】
また、第１取得部１３１は、第１位置情報とともに、当該第１位置情報に対応するセンサ情報を取得する。第２取得部１３３は、第２位置情報とともに、当該第２位置情報に対応するセンサ情報を取得する。推定部１３４は、第１位置情報に対応するセンサ情報と、第２位置情報に対応するセンサ情報とに基づいて、所定のユーザの移動状況を推定する。
【０１６２】
このように、実施形態に係る推定装置１００は、センサ情報を含めた位置情報を取得することで、所定のユーザの移動状況をより正確に把握することできるため、推定の精度を向上させることができる。
【０１６３】
また、第１取得部１３１は、第１位置情報とともに、当該第１位置情報に対応する音声情報もしくは加速度情報を取得する。第２取得部１３３は、第２位置情報とともに、当該第２位置情報に対応する音声情報もしくは加速度情報を取得する。推定部１３４は、第１位置情報に対応する音声情報もしくは加速度情報と、第２位置情報に対応する音声情報もしくは加速度情報とに基づいて、所定のユーザの移動状況を推定する。
【０１６４】
このように、実施形態に係る推定装置１００は、音声情報や加速度情報といった、移動手段に特有な情報を取得することで、所定のユーザの移動状況をより正確に把握することができるため、推定の精度を向上させることができる。
【０１６５】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１６６】
また、上述してきた「部（section、module、unit）」は、「手段」や「回路」などに読み替えることができる。例えば、取得部は、取得手段や取得回路に読み替えることができる。
【符号の説明】
【０１６７】
１  推定システム
１０  ユーザ端末
１００  推定装置
１１０  通信部
１２０  記憶部
１２１  第１位置情報記憶部
１２２  モデル記憶部
１２３  第２位置情報記憶部
１３０  制御部
１３１  第１取得部
１３２  生成部
１３３  第２取得部
１３４  推定部
【図１】
2019128155.tif 000003
【図２】
2019128155.tif 000004
【図３】
2019128155.tif 000005
【図４】
2019128155.tif 000006
【図５】
2019128155.tif 000007
【図６】
2019128155.tif 000008
【図７】
2019128155.tif 000009
【図８】
2019128155.tif 000010
【図９】
2019128155.tif 000011
【図１０】
2019128155.tif 000012